(57)【特許請求の範囲】
【請求項１】
エレベータの乗りかごと釣合いをとるためのエレベータ用釣合い錘において、釣合い錘枠の下梁の内側で緩衝器と干渉しない位置に、調整用錘取り付け部材を介して調整用錘を取り付け、調整用錘取付部材は互いに対向するように配設された一対のC形鋼によって構成され、調整用錘にはその両側に上記C形鋼の水平フランジ部に係合する切り欠きが形成されていることを特徴とする、エレベータ用釣合い錘。
【請求項２】
調整用錘の種類或いは数を調整することによって釣合い錘の質量の微調整を行うことを特徴とする、請求項１記載のエレベータ用釣合い錘。
【請求項３】
調整用錘は前後非対称に形成されており、その前後非対称の調整用錘の使用によって釣合い錘の前後方向に対する重心の調整が行われることを特徴とする、請求項１または２記載のエレベータ用釣合い錘。
【請求項４】
釣合い錘枠の下梁に、調整用錘を左右非対称に装着することによって、釣合い錘の左右方向に対する重心の調整が行われることを特徴とする、請求項１乃至３のいずれかに記載のエレベータ用釣合い錘。
【請求項５】
釣合い錘枠の内側に設けられた調整用錘取付部材にコンペンセータ取り付け部が設けられていることを特徴とする、請求項１乃至４のいずれかに記載のエレベータ用釣合い錘。
【発明の詳細な説明】
【０００１】
【発明の属する技術分野】
本発明は、つるべ方式で駆動されるエレベターにおいて、乗りかごとのバランスをとるための釣合い錘に関する。
【０００２】
【従来の技術】
図７は従来のつるべ式エレベータ用釣合い錘の概略構成を示す図であり、上梁１，立枠２，及び下梁３によって錘の枠体が構成されている。この上梁１，立枠２，及び下梁３は溶接、もしくはボルト、ナットの締結によって接合されており、この枠体内には釣合い錘の質量を調整するための錘である主錘４aと質量の微調整を行う調整錘４ｂが積載されている。上記立枠２の上部には切り欠き５が施されており、釣合い錘枠の上部まで主錘４a,調整錘４ｂが容易に積載できるようになっている。上梁１には、２：１ローピングの場合にはシーブ６が設置され、１：１ローピングの場合にはロープ取り付け板が設置されている。
【０００３】
また、釣合い錘の枠体の上部、及び下部の両側には案内レールを伝うためのガイド７が設けられている。さらに、下梁３の下側には緩衝器受板８が設けられており、昇降路側の緩衝器との衝突を受けるようになっている。
【０００４】
【発明が解決しようとする課題】
ところが、このような釣合い錘においては主錘４a及び調整錘４ｂを下梁３もしくは緩衝器受板８から上部にしか積載できない。また錘を上部まで積載するには立枠２に切り欠き５を必要とするため、立枠２の強度不足が問題になったり、切り欠き加工の手間を必要とする等の問題がある。
【０００５】
本発明は、このような点に鑑み、釣合い錘の質量を大きく設定できるとともに、質量の調整を錘の下部で行うことができるようにした釣合い錘を得ることを目的とする。
【０００６】
【課題を解決するための手段】
請求項１に係る発明は、エレベータの乗りかごと釣合いをとるためのエレベータ用釣合い錘において、釣合い錘枠の下梁の内側で緩衝器と干渉しない位置に、調整用錘取り付け部材を介して調整用錘を取り付け、調整用錘取付部材は互いに対向するように配設された一対のC形鋼によって構成され、調整用錘にはその両側に上記C形鋼の水平フランジ部に係合する切り欠きが形成されていることを特徴とする。
【０００７】
請求項２に係る発明は、請求項１に係る発明において、調整用錘の種類或いは数を調整することによって釣合い錘の質量の微調整を行うことを特徴とする。
【０００９】
請求項３に係る発明は、請求項１または２に係る発明において、調整用錘は前後非対称に形成されており、その前後非対称の調整用錘の使用によって釣合い錘の前後方向に対する重心の調整が行われることを特徴とする。
【００１０】
さらに、請求項４に係る発明は、請求項１乃至３のいずれかに係る発明において、釣合い錘枠の下梁に、調整用錘を左右非対称に装着することによって、釣合い錘の左右方向に対する重心の調整が行われることを特徴とする。
【００１１】
請求項５に係る発明は、請求項１乃至４のいずれかに係る発明において、釣合い錘枠の内側に設けられた調整用錘取付部材にコンペンセータ取付部が設けられていることを特徴とする。
【００１２】
【発明の実施の形態】
以下、図１乃至図６を参照して本発明について説明する。なお、図中図７と同一部分には同一符号を付しその詳細な説明は省略する。
【００１３】
図１は、本発明のつるべ式エレーベタ用釣合い錘の斜視図であって、上梁１，立て枠２及び下梁３からなる枠体内に主錘４aが装着されている。そして、上記下梁３の下面部の昇降路に設けられた緩衝器を避けるような位置に多数の板状の調整錘４ｃが装着されている。すなわち、上記下梁３内にはその左右部に、図２に示すように、互いに対向して配設された一対のC形鋼９によって構成された錘取付部材１０が取り付けられている。一方、各調整錘４ｃには、その両側縁部のほぼ中央位置に上記C形鋼９の水平フランジ９aに係合する切り欠き１１が形成されている。
【００１４】
しかして、所定数の調整錘４ｃが、その切り欠き１１をC形鋼９の水平フランジ９aに係合することによって錘取付部材１０に取り付けられ、その調整錘４ｃが固定ブラケット１２によって下梁３に固定支持されている。図３に上記本発明の釣合錘の正面図を示す。
【００１５】
したがって、上記調整錘４ｃの数を適宜選定することによって釣合錘の質量を調整することができる。しかも、その調整錘４ｃの取り付けも簡単に行うことができ、従来のように立枠２に切り欠き加工を行う必要もない。
【００１６】
図４は本発明の他の実施の形態を示す図であって、錘取付部材１０におけるC形鋼９の水平フランジ９aに、コンペンセータ取り付け用の穴が加工されており、その穴にコンペンセータ１３の釣合錘側端部が取り付けられている。
【００１７】
しかして、この場合には上記錘取付部材１０をコンペンセータ１３の取付部材として兼用させることができる。
【００１８】
また、図５は上記調整錘の他の実施の形態を示す図であって、調整錘４ｄはその下端縁が斜めに形成され、左右非対称に形成されている。したがってこの調整錘４ｄを使用することによって、釣合い錘の前後方向の重心調整を行うことができる。
【００１９】
図６は、釣合い錘の他の実施の形態を示す図であって、左右に設けられた調整錘が左右非対称に積載されている。すなわち、図６においては片方のみに調整錘４eが装着されている。したがって、この場合には釣合い錘の左右方向の重心調整を行うことができる。
【００２０】
【発明の効果】
本発明は上述のように構成したので、釣合い錘下部の従来使用できなかった緩衝器横の空間に錘を積載することができ、この錘を調整用錘とすることによって立て枠に切り欠きを加工する必要がなくなる。また、調整用錘の取付部材にコンペンセータを取り付けるようにした場合には、コンペンセータ用の取付部材が不要となる。さらに、調整用錘を変形させることによって釣合い錘の前後方向の重心調整を行うことができ、また調整用錘の積載位置によって釣合い錘の左右方向の重心調整を行うこともできる。
【図面の簡単な説明】
【図１】本発明の釣合い錘の一実施の形態を示す斜視図。
【図２】図１のA−A線に沿う断面図。
【図３】本発明の釣合い錘の一実施の形態を示す正面図。
【図４】本発明の釣合い錘の他の実施の形態を示す側面図。
【図５】調整錘の他の例を示す図。
【図６】本発明の釣合い錘のさらに他の実施の形態を示す正面図。
【図７】従来の釣合い錘の正面図。
【符号の説明】
１  上梁
２  立枠
３  下梁
４a  主錘
４ｂ、４ｃ、４ｄ  調整錘
５  切り欠き
６  シーブ
７  ガイド
８  緩衝器受け板
９  C形鋼
１０  錘取付部材
１１  切り欠き
１２  固定ブラケット
１３  コンペンセータ
【図１】
0004484322.tif 000002
【図２】
0004484322.tif 000003
【図３】
0004484322.tif 000004
【図４】
0004484322.tif 000005
【図５】
0004484322.tif 000006
【図６】
0004484322.tif 000007
【図７】
0004484322.tif 000008